(57)【要約】【課題】レンズコバ部の少なくとも一部を内周面に当接させてレンズを保持するレンズ保持体を備えたレンズユニットにおいて、衝撃を受けてもレンズの角部に欠けなどを生じさせないようにする。【解決手段】レンズコバ部の少なくとも一部を内周面に当接させてレンズを保持するレンズ保持体を備えたレンズユニットであって、前記レンズ保持体は、前記内周面に、前記レンズコバ部の幅よりも狭幅であって、かつ前記レンズと前記レンズ保持体とが衝撃により相対的に位置ずれした際に、前記レンズコバ部の角部が前記内周面と当接しない高さに規定された凸部が設けられた構成とした。【選択図】図２
2012048085.tif 000002
【特許請求の範囲】
【請求項１】
レンズコバ部の少なくとも一部を内周面に当接させてレンズを保持するレンズ保持体を備えたレンズユニットであって、
前記レンズ保持体は、
前記内周面に、前記レンズコバ部の幅よりも狭幅であって、かつ前記レンズと前記レンズ保持体とが衝撃により相対的に位置ずれした際に、前記レンズコバ部の角部が前記内周面と当接しない高さに規定された凸部が設けられていることを特徴とするレンズユニット。
【請求項２】
前記凸部の高さと幅は、前記レンズの外径及び前記レンズ保持体の内径の各公差に基づいて決定されることを特徴とする請求項１に記載のレンズユニット。
【請求項３】
前記レンズ保持体は、
前記レンズを一端側に配置する鏡筒と、この鏡筒と協働して前記レンズを挟持するように当該鏡筒に装着されるレンズ押え体とを備え、
前記凸部は、前記鏡筒若しくはレンズ押さえ体のいずれかに設けられていることを特徴とする請求項１又は２に記載のレンズユニット。
【請求項４】
前記レンズは、少なくとも周縁の一部が直線状に加工されたカットレンズであることを特徴とする請求項１〜３のいずれか１項に記載のレンズユニット。
【請求項５】
前記レンズは、円形レンズの周縁に４個所の直線部が形成され、かつ隣接する前記直線部間に、光軸を中心とした円弧部が残るように加工されたカットレンズであることを特徴とする請求項１〜４のいずれか１項に記載のレンズユニット。
【請求項６】
前記レンズは凸レンズであることを特徴とする請求項１〜５のいずれか１項に記載のレンズユニット。
【請求項７】
前記レンズはガラスレンズであることを特徴とする請求項１〜６のいずれか１項に記載のレンズユニット。
【請求項８】
画像信号に応じた強度の光束を出射する光源部と、
使用者の頭部に装着可能に構成されるとともに、前記光源部から出射された光束を２次元走査する走査部と請求項１〜７のいずれか１項に記載のレンズユニットとを具備する投影部と、を備え、
前記レンズユニットのレンズが、前記走査部で走査された光束を観察者の眼に入射させる接眼レンズとして配設されていることを特徴とする画像表示装置。
【発明の詳細な説明】
【技術分野】
【０００１】
本発明は、レンズ保持体を備えたレンズユニット、及び同レンズユニットが用いられた画像表示装置に関する。
【背景技術】
【０００２】
画像表示装置の一例として、網膜走査ディスプレイ（Ｒｅｔｉｎａｌ  Ｓｃａｎｎｉｎｇ  Ｄｉｓｐｌａｙ、以下「ＲＳＤ」という。）が知られている。ＲＳＤは、走査した光束を観察者の眼に入射させて網膜上に投影することにより、観察者に画像を認識させることができる。
【０００３】
かかるＲＳＤをはじめとする画像表示装置の光学系においては、接眼レンズなどのレンズや他の光学素子を含むレンズユニットが用いられている。レンズの保持構造としては、レンズ保持体によりレンズを鏡筒へ押圧して保持する構成としたものが多い。
【０００４】
従来、レンズ保持体の構成として、弾性部材で形成されて鏡筒に係合し、レンズ周縁部を押圧して固定する円環状のレンズ押さえ部材を備えているものがあった（例えば、特許文献１を参照。）。
【先行技術文献】
【特許文献】
【０００５】
【特許文献１】特開２０１０−０７８９２０号公報
【発明の概要】
【発明が解決しようとする課題】
【０００６】
しかしながら、特許文献１の技術では、例えばレンズ保持体を落下させてしまった場合、落下の衝撃によって、レンズ押さえ部材や、このレンズ押さえ部材で鏡筒に押圧状態に配設されたレンズが傾いたりする場合がある（図３参照）。レンズ押さえ部材とレンズとが相対的に傾くと、レンズの角がレンズ押さえ部材に当接して外力を受け、角部に欠けが生じたりするおそれがあった。
【０００７】
本発明は、上記のような事情に鑑みてなされたものであって、レンズ保持体に衝撃が加わっても、レンズの角などに欠けなどが生じることを防止可能としたレンズユニット及び同レンズユニットが用いられた画像表示装置を提供することを目的としている。
【課題を解決するための手段】
【０００８】
上記課題を解決するために、請求項１に記載の本発明では、レンズコバ部の少なくとも一部を内周面に当接させてレンズを保持するレンズ保持体を備えたレンズユニットであって、前記レンズ保持体は、前記内周面に、前記レンズコバ部の幅よりも狭幅であって、かつ前記レンズと前記レンズ保持体とが衝撃により相対的に位置ずれした際に、前記レンズコバ部の角部が前記内周面と当接しない高さに規定された凸部が設けられていることとした。
【０００９】
また、請求項２に記載の本発明は、請求項１に記載のレンズユニットにおいて、前記凸部の高さと幅は、前記レンズの外径及び前記レンズ保持体の内径の各公差に基づいて決定されることを特徴とする。
【００１０】
また、請求項３に記載の本発明は、請求項１又は２に記載のレンズユニットにおいて、前記レンズ保持体は、前記レンズを一端側に配置する鏡筒と、この鏡筒と協働して前記レンズを挟持するように当該鏡筒に装着されるレンズ押え体とを備え、前記凸部は、前記鏡筒若しくはレンズ押さえ体のいずれかに設けられていることを特徴とする。
【００１１】
また、請求項４に記載の本発明は、請求項１〜３のいずれか１項に記載のレンズユニットにおいて、前記レンズは、少なくとも周縁の一部が直線状に加工されたカットレンズであることを特徴とする。
【００１２】
また、請求項５に記載の本発明は、請求項１〜４のいずれか１項に記載のレンズユニットにおいて、前記レンズは、円形レンズの周縁に４個所の直線部が形成され、かつ隣接する前記直線部間に、光軸を中心とした円弧部が残るように加工されたカットレンズであることを特徴とする。
【００１３】
また、請求項６に記載の本発明は、請求項１〜５のいずれか１項に記載のレンズユニットにおいて、前記レンズは凸レンズであることを特徴とする。
【００１４】
また、請求項７に記載の本発明は、請求項１〜６のいずれか１項に記載のレンズユニットにおいて、前記レンズはガラスレンズであることを特徴とする。
【００１５】
また、請求項８に記載の本発明では、画像信号に応じた強度の光を出射する光源部と、使用者の頭部に装着可能に構成されるとともに、前記光源部から出射された光を２次元走査する走査部と請求項１〜７のいずれか１項に記載のレンズユニットとを具備する投影部と、を備え、前記レンズユニットのレンズが、前記走査部で走査された光を観察者の眼に入射させる接眼レンズとして配設されている画像表示装置とした。
【発明の効果】
【００１６】
本発明によれば、レンズ保持体に何らかの衝撃が加わり、レンズ保持体とレンズとが相対的に傾いた場合でも、レンズの角部がレンズ保持体に当接して外力を受けることがなく、角部に欠けが生じたりすることを防止することが可能となる。
【図面の簡単な説明】
【００１７】
【図１】本発明の一実施形態に係るレンズユニットが備えるレンズ保持体の構成概要を示す説明図である。
【図２】同レンズ保持体の機能説明図である。
【図３】比較例に係るレンズユニットのレンズ保持体の説明図である。
【図４】同レンズユニットを用いた網膜走査型画像表示装置の外観図である。
【図５Ａ】同レンズユニットが備えるレンズ保持体の斜視図である。
【図５Ｂ】同レンズ保持体の分解斜視図である。
【図６】同レンズ保持体の平面図である。
【図７】図６のＡ−Ａ断面図である。
【図８】図６のＢ−Ｂ断面図である。
【図９】図６のＣ−Ｃ断面図である。
【図１０】他の実施形態に係るレンズユニットの説明図である。
【発明を実施するための形態】
【００１８】
本発明は、レンズコバ部の少なくとも一部を内周面に当接させてレンズを保持するレンズ保持体を備えたレンズユニットに関するものである。その特徴としては、レンズ保持体の内周面に、前記レンズコバ部の幅よりも狭幅の凸部が設けられており、しかも、この凸部が、レンズとレンズ保持体とが衝撃により相対的に位置ずれした際に、レンズコバ部の角部が前記内周面と当接しない高さに規定された点にある。
【００１９】
以下、本発明に係るレンズユニットの一実施形態について、図面を参照しながら説明する。なお、本実施形態においては、レンズユニットを画像表示装置としての網膜走査型画像表示装置（以下、「ＲＳＤ：Retinal Scanning Display」とする場合がある）に設けたものとして説明する。
【００２０】
ＲＳＤは、使用者の頭部に装着するタイプであるヘッドマウントディスプレイであって、なおかつ光を使用者の眼に投射して画像を視認させることができるものである。すなわち、画像信号に応じた強度の光を出射する光源部と、使用者の頭部に装着可能に構成されるとともに、前記光源部から出射された光を２次元走査する走査部と、上述したレンズユニットとを具備する投影部とを備えている。そして、このレンズユニットのレンズが、前記走査部で走査された光を観察者の眼に入射させる接眼レンズとして用いられる。
【００２１】
このようなＲＳＤにレンズユニットを設けた場合、その配設位置からすれば、ＲＳＤごと落下させてしまった場合などにレンズが衝撃を受け易い。しかし、凸部を設けることによってレンズの保護効果が得られるため、表示画像へ悪影響が生じることを未然に防止することが可能となる。
【００２２】
［１．レンズユニットにおけるレンズ保持体の機能］
先ず、図１〜図３を参照しながら、本実施形態のレンズユニット１０が備えるレンズ保持体６の機能の概要について説明する。
【００２３】
図１に示すように、レンズユニット１０のレンズ保持体６は、レンズ１１を一端側に配置可能とした鏡筒７と、この鏡筒７と協働してレンズ１１を挟持するように当該鏡筒７に装着されるレンズ押え体８とを係合部１３を介して連結した構成としており、レンズコバ部１１ａの少なくとも一部を内周面に当接させた状態でレンズ１１を保持している。なお、詳しくは後述するが、レンズ１１はガラス製であり、円形の凸レンズの周縁に４個所の直線部１１ｂを形成するとともに、隣接する直線部１１ｂ，１１ｂ間にレンズ１１の光軸を中心とした円弧部１１ｃが残るように加工したカットレンズとしている（図５Ｂ参照）。
【００２４】
そして、本実施形態では、図示するように、レンズ押え体８に凸部１２を設けているが、その形成位置としては、レンズコバ部１１ａの直線部１１ｂに対応する位置としている（図５Ｂ参照）。
【００２５】
図１に示すように、凸部１２は、レンズ１１のレンズコバ部１１ａの幅Ｄよりも狭い幅ｄに形成されており、この凸部１２の表面とレンズコバ部１１ａとの間隙Ｈの最大値を、レンズ１１とレンズ押え体８のそれぞれの公差により決定している。また、かかる間隙Ｈを含む凸部１２の高さＡとレンズコバ部１１ａの角部１１ｄとの距離Ｌとは、レンズ１１やレンズ押え体８が何らかの衝撃で傾いたときに、角部１１ｄがレンズ押え体８の内壁部８ａに当接するより先に、凸部１２の角部１２ａの方が先にレンズコバ部１１ａに当接するように決定している。
【００２６】
すなわち、図３に示すように、例えば比較例としてのレンズユニットのレンズ保持体６０を落下させてしまった場合、床面Ｆなどに衝突した衝撃でレンズ押え体８００が変形し、そのはずみでレンズ１１とレンズ押え体８００とが相対的に傾くことがある。
【００２７】
そのときに、図３に示すような従来からの構成であれば、レンズコバ部１１ａの角部１１ｄが、レンズ押え体８の内壁部８ａに当たってしまい、特にガラス製レンズの場合、図示するように、角部１１ｄに亀裂や欠けなどの損傷が生じるおそれがある。図中、符号１１ｅはレンズ１１において角部１１ｄに生じた損傷部を示す。
【００２８】
その点、本実施形態に係るレンズユニット１０では、レンズユニット１０の落下に伴ってレンズ保持体６に衝撃が加わったとしても、レンズコバ部１１ａの角部１１ｄに欠けなどは発生することがない。すなわち、衝撃により、レンズ１１とレンズ押え体８００とが相対的に傾いても、図２に示すように、レンズコバ部１１ａの角部１１ｄがレンズ押え体８の内壁部８ａに当接するよりも先に、凸部１２の角部１２ａの方がレンズコバ部１１ａに当接するからである。
【００２９】
このように、本実施形態によれば、凸部１２を設けたことにより、レンズユニット１０を落下させてしまった場合、ガラス製レンズであっても、外部からの衝撃などによってレンズコバ部１１ａの角部１１ｄに欠けなどが発生することを効果的に防止することができる。
【００３０】
特に、上述してきたレンズ１１は直線部１１ｂを有するカットレンズであるため、円形のレンズよりも角部１１ｄが損傷し易いが、凸部１２を設けたことによって、このようなカットレンズであっても十分なレンズ保護機能を有するレンズユニット１０とすることができる。
【００３１】
なお、本実施形態では、レンズ１１を凸レンズとしているが、凹レンズの場合はレンズコバ部の角部には透光部の外側となる直線部が連なっているため、仮に角部が損傷しても、レンズ１１を透過する光には影響を与えない。したがって、凸部１２の機能は、凸レンズの場合においてより効果的と言える。
【００３２】
［２．レンズユニットにおけるレンズ保持体の具体的構成］
ここで、本実施形態に係るレンズユニット１０について、図４〜図９を参照しながらより具体的に説明する。
【００３３】
（ＲＳＤの外観構成）
先ず、レンズユニット１０が用いられるＲＳＤの全体構成について説明する。図４はＲＳＤの外観を示す説明図であり、本実施形態に係るＲＳＤは、眼鏡型フレーム５を用いて頭部に装着した状態で使用者に画像を視認させるようにしている。
【００３４】
すなわち、ＲＳＤは、図示するように、画像信号に応じた強度のレーザ光を出射する光源部が配設されたコントロールユニット２と、使用者の頭部に装着可能に構成されるとともに、前記光源部から出射された光束を２次元走査する走査部と上述したレンズユニット１０とを具備する投影部とが配設された画像表示ユニット１とを備えている。この画像表示ユニット１は、アタッチメント１８を介して眼鏡型フレーム５に取付けて使用者の頭部に装着可能としている。また、この画像表示ユニット１とコントロールユニット２とは、光ファイバを有する伝送ケーブル３により接続される。
【００３５】
そして、本実施形態では、画像表示ユニット１の投影部内に配設されたレンズユニット１０のレンズ１１を、走査部で走査されたレーザ光を観察者の眼に入射させる接眼レンズとして用いている。したがって、誤ってＲＳＤなどを落下させてしまうと、画像表示ユニット１に衝撃が加わり易く、当然ながらその内部に配設されたレンズユニット１０のレンズ１１は衝撃を受け易くなる。
【００３６】
コントロールユニット２は、使用者の衣服のポケットなどに収納して携行可能であり、図示しない外部入出力端子を備えている。この外部入出力端子は、外部からの画像信号を入力したり、図示しないパーソナルコンピュータ等との間で画像信号を形成するためのコンテンツ情報などの送受信を行ったりするためのものである。そして、コントロールユニット２は、受信したコンテンツ情報に基づいて画像信号を形成し、この画像信号に応じた強度のレーザ光を伝送ケーブル３の光ファイバへ出射することができる。
【００３７】
眼鏡型フレーム５は、フロント部１５と左右のテンプル部１６，１６とを備えている。そして、テンプル部１６は、撓み量を増やせるように、その中途部を平面視及び側面視でＺ型に形成したサスペンション構造を備える構成としている。したがって、使用者の頭部形状の違いに応じてテンプル部１６が撓んでその形状を変化させることにより、様々な使用者の頭部に可及的にフィットさせることができる。そして、眼鏡型フレーム５を頭部に装着することにより、画像表示ユニット１の先端部分に設けられたハーフミラー９を眼前に容易に配置することができる。
【００３８】
上述した構成の眼鏡型フレーム５の左側（使用者から見て）にレンズユニット１０を内蔵した画像表示ユニット１は取り付けられる。画像表示ユニット１は、平面視略Ｌ字状としたケーシング４内に、レンズユニット１０を具備する投影部を内蔵しており、ケーシング４の基端部１７に伝送ケーブル３の一端が接続されている。
【００３９】
光学部内に設けられた投影部は、各色（Ｒ，Ｇ，Ｂ）毎に強度変調されたレーザ光を２次元方向に走査したレーザ光を使用者の眼に入射させ、使用者の眼の網膜上でレーザ光を２次元方向に走査する。利用者は網膜上で走査された光により画像信号に応じた画像を視認することになる。
【００４０】
また、ケーシング４の先端部には、使用者の眼と対向するようにハーフミラー９が設けられている。すなわち、外光はハーフミラー９を透過して使用者の眼に入射される一方、投影部から出射されるレーザ光はハーフミラー９で反射して使用者の眼に入射される。したがって、使用者は、外光による外景にレーザ光による画像を重ねて視認することができるようになっている。
【００４１】
このように、本実施形態に係るＲＳＤは、外光を透過しつつ、画像信号に応じた強度のレーザ光を使用者の眼に投射するシースルー型のＲＳＤとしている。しかし、本発明に係るレンズユニットは、シースルー型のＲＳＤのみに適用されるものではなく、広く用いることができる。また、ここでは、光の一例として、効率面で有利なレーザ光を用いているが、光は必ずしもレーザ光に限られるものではない。
【００４２】
（レンズ保持体の構成）
次に、図５〜図９を参照しながら、ＲＳＤの投影部に配設されたレンズユニット１０のレンズ保持体６について、その具体的な構成について説明する。レンズ保持体６は、図５Ａ，５Ｂに示すように、ガラス製凸レンズからなるレンズ１１を一端側に配置する鏡筒７と、この鏡筒７の先端に着脱可能としたレンズ押え体８とから構成されている。そして、鏡筒７とレンズ押え体８とが協働してレンズ１１を挟持状態に保持している。なお、本実施形態では、鏡筒７とレンズ押え体８とを合成樹脂製としている。
【００４３】
レンズ１１は、前述したようにガラス製のカットレンズであって、周縁に４個所の直線部１１ｂを形成するとともに、隣接する直線部１１ｂ，１１ｂ間にレンズ１１の光軸を中心とした円弧部１１ｃを形成している。
【００４４】
そして、鏡筒７は、図示するように、レンズ１１の４つの円弧部１１ｃにそれぞれ対応するように、略正方形の頂点をなす位置に配置され、前記円弧部１１ｃと当接して支持するレンズ当接部７１ａからなる前枠部７１と、この前枠部７１に連接された４面からなる側壁部７２とから構成されている。また、前枠部７１は、対向する一組のレンズ当接部７１ａ同士を連接する枠壁７１ｂを備えている（図５Ｂ及び図８を参照。）。なお、本実施形態に係る鏡筒７は、４面からなる側壁部７２のうちの一側面を切欠するとともに、対向する一対の側面上に、係合突起１３ａ，１３ａを突設している。
【００４５】
他方、レンズ押え体８は、４つの枠壁８１ｂ，８１ｃ，８１ｄ，８１ｅからなる略四角形状の枠体部８１と、この枠体部８１に連接された係合壁部８２とから形成されている。係合壁部８２には、鏡筒７の係合突起１３ａ，１３ａに対応する係合孔１３ｂ，１３ｂを設けている。すなわち、レンズ押え体８の係合孔１３ｂと鏡筒７の係合突起１３ａとにより係合部１３が構成されることになる。
【００４６】
枠体部８１は、やはりレンズ１１の４つの円弧部１１ｃにそれぞれ対応する位置に、当該円弧部１１ｃを当接支持する枠体側レンズ当接部８１ａを備えている。そして、係合壁部８２を連接した側の枠壁８１ｂ，８１ｃに直交する一側の枠壁８１ｄを、鏡筒７の枠壁７１ｂに重合する位置に形成する一方、他側の枠壁８１ｅを、鏡筒７の枠壁７１ｂとは反対側でレンズコバ部１１ａに近接するような位置に形成している（図５Ｂ及び図８を参照。）。
【００４７】
上述した構成により、鏡筒７の先端にレンズ押え体８を装着し、係合孔１３ｂ，１３ｂに鏡筒７の係合突起１３ａ，１３ａを係合すれば、図５〜図９に示すように、両者がしっかりと連結されるとともに、レンズ１１は光軸方向及び光軸を中心とする回転方向に対し、ずれなどが生じることのないようにしかかりと保持される。
【００４８】
上述した構成のレンズ保持体６において、本実施形態では、レンズ押え体８の枠体部８１を内周面に、レンズコバ部１１ａの幅Ｄよりも狭幅の幅ｄを有し、かつ所定高さに設定された凸部１２を設けている。
【００４９】
具体的には、図５Ｂ及び図７に示すように、枠体部８１を構成する４つの枠壁８１ｂ，８１ｃ，８１ｄ，８１ｅのうち、係合壁部８２を連接した側の枠壁８１ｂ，８１ｃの内側面に、レンズコバ部１１ａの直線部１１ｂに対応するように凸部１２をそれぞれ形成している。
【００５０】
図１及び図２を用いて説明したように、この凸部１２の表面とレンズコバ部１１ａとの間隙Ｈの最大値を、レンズ１１の外径及びレンズ押え体８の内径の各公差により決定している。間隙Ｈは、凸部１２の幅ｄや凸部１２の高さＡを決定する基礎になるものであるが、間隙Ｈが小さければ、公差によってはレンズ１１がレンズ押え体８によって保持し難くなる場合がある。また、間隙Ｈが小さければ凸部１２の角部１２ａとレンズコバ部１１ａの角部１１ｄとの距離Ｌ（図１参照）も短くて済む一方、間隙Ｈが大きければ前記距離Ｌも長くなる。したがって、間隙Ｈは公差による最大値に設定しておけば、レンズ１１の保持に支障をきたすことなく、必要限度の凸部１２の幅ｄや凸部１２の高さＡを設定することが可能となる。
【００５１】
すなわち、凸部１２を形成するにあたり、過度に細幅となったり、背高となったりするのは、強度上やレンズ保持機能の面から好ましくないため、凸部１２の幅ｄは、レンズコバ部１１ａの幅Ｄよりも狭いという条件の中で可及的に広幅とし、凸部１２の高さＡについても過度に高くならないようにすることができる。
【００５２】
こうして、レンズ１１とレンズ押え体８のそれぞれの公差により間隙Ｈを決定するとともに、実験的な検証を経て、凸部１２の幅ｄ及び高さＡを、レンズ１１やレンズ押え体８が何らかの衝撃で傾いたときに、角部１１ｄがレンズ押え体８の内壁部８ａに当接するより先に、凸部１２の角部１２ａの方が先にレンズコバ部１１ａに当接するように設定している。
【００５３】
ところで、凸部１２は、レンズ保持体６であれば、鏡筒７、レンズ押え体８のいずれかに設けられていればよく、上述してきた実施形態では、凸部１２をレンズ押え体８に設けた例としたが、図１０に示すように、凸部１２を鏡筒７側に設けることもできる。
【００５４】
すなわち、図示するように、鏡筒７０の先端側一側表面に、レンズ押え体８０の係合孔１３ｂに係合する係合突起１３ａを形成する一方、その裏面に凸部１２を形成するのである。かかる構成によっても、例えば衝撃により、レンズ１１とレンズ押え体８０とが相対的に傾いても、レンズコバ部１１ａの角部１１ｄがレンズ押え体８の内壁部８ａに当接するよりも先に、凸部１２の角部１２ａの方がレンズコバ部１１ａに当接するため、レンズコバ部１１ａの角部１１ｄに欠けなどは発生することはない。
【００５５】
このように、凸部１２は、鏡筒７、レンズ押え体８のいずれかに設ければよいため、設計自由度が高くなり、レンズ１１の角部１１ｄの損傷を防止可能なレンズユニット１０の製造が容易となる。
【００５６】
以上説明してきたたように、本実施形態に係るレンズユニット１０によれば、以下のような効果を奏するレンズユニット１０が実現できる。
【００５７】
（１）レンズコバ部１１ａの少なくとも一部を内周面に当接させてレンズ１１を保持するレンズ保持体６を備えており、レンズ保持体６は、前記内周面に、レンズコバ部１１ａの幅Ｄよりも狭幅であって、かつレンズ１1とレンズ保持体6とが衝撃により相対的に位置ずれした際に、レンズコバ部11aの角部11ｄが前記内周面と当接しない高さAに規定された凸部12が設けられているレンズユニット１０。かかるレンズユニット１０によれば、例えば、レンズ保持体６を落下させるなどして、その衝撃によりレンズ保持体６とレンズ１１とが相対的に傾いた場合でも、レンズ１１の角部１１ｄがレンズ保持体６に当接して外力を受けることがなく、角部１１ｄに欠けが生じたりすることを防止することができる。
【００５８】
（２）上記構成において、凸部１２の高さＡと幅Ｄが、レンズ１１の外径及びレンズ保持体６の内径の各公差に基づいて決定されるレンズユニット１０。かかるレンズユニット１０によれば、レンズ１１を確実に保持できるとともに、凸部１２の強度なども勘案しながら、必要十分な大きさの凸部１２を形成することができる。
【００５９】
（３）上記構成において、レンズ保持体６は、レンズ１１を一端側に配置する鏡筒７と、この鏡筒７と協働してレンズ１１を挟持するように当該鏡筒７に装着されるレンズ押え体８とを備え、凸部１２は、鏡筒７若しくはレンズ押え体８のいずれかに設けられているレンズユニット。したがって、設計自由度が高くなり、レンズ１１の角部１１ｄの損傷を防止可能なレンズユニット１０の製造が容易となる。
【００６０】
（４）上記構成において、レンズ１１は、少なくとも周縁の一部が直線状に加工されたカットレンズであるレンズユニット１０。カットレンズのように、円形のレンズよりも角部１１ｄが損傷し易いものであっても、十分なレンズ保護効果が得られる。
【００６１】
（５）上記構成において、レンズ１１は、円形レンズの周縁に４個所の直線部１１ｂが形成され、かつ隣接する前記直線部１１ｂ、１１ｂ間に、光軸を中心とした円弧部１１ｃが残るように加工されたカットレンズであるレンズユニット１０。このようなカットレンズの場合、直線部における角部１１ｄがより損傷し易いものであったとしても、十分なレンズ保護効果が得られる。
【００６２】
（６）上記構成において、レンズ１１は凸レンズであるレンズユニット１０。凹レンズの場合はレンズコバ部の角部には透光部の外側となる直線部が連なっているため、仮に角部が損傷しても、レンズ１１を透過する光には影響を与えない。したがって、凸部１２の機能は凸レンズの場合においてより効果的に生起される。
【００６３】
（７）上記構成において、レンズ１１はガラスレンズであるレンズユニット１０。樹脂製のレンズよりも衝撃による損傷を受け易いガラスレンズであっても、十分なレンズ保護効果が得られる。
【００６４】
（８）画像信号に応じた強度の光を出射する光源部と、使用者の頭部に装着可能に構成されるとともに、前記光源部から出射された光を２次元走査する走査部と、上記（１）〜（７）のいずれかに記載のレンズユニットとを具備する投影部と、を備え、前記レンズユニットのレンズが、前記走査部で走査された光を観察者の眼に入射させる接眼レンズとして配設されている画像表示装置とした。かかる画像表示装置に用いられるレンズユニット１０は、配設位置からして、落下した場合などに衝撃を受け易いが、凸部１２を設けたことで、レンズ１１の保護効果が得られ、表示画像へ悪影響が生じることを未然に防止することができる。
【００６５】
なお、上述してきた実施形態では、レンズユニット１０をＲＳＤなどの画像表示装置に設けられたものとして説明した。しかし、レンズユニット１０は、レンズコバ部１１ａの少なくとも一部を内周面に当接させてレンズ１１を保持するレンズ保持体６を備えたものであれば必ずしも画像表示装置に用いられるものである必要はない。
【符号の説明】
【００６６】
６    レンズ保持体
７    鏡筒
８    レンズ押え体
１０    レンズユニット
１１    レンズ
１１ａ    レンズコバ部
１１ｂ    直線部
１１ｃ    円弧部
１１ｄ    角部
１２    凸部
【図１】
2012048085.tif 000003
【図２】
2012048085.tif 000004
【図３】
2012048085.tif 000005
【図４】
2012048085.tif 000006
【図５Ａ】
2012048085.tif 000007
【図５Ｂ】
2012048085.tif 000008
【図６】
2012048085.tif 000009
【図７】
2012048085.tif 000010
【図８】
2012048085.tif 000011
【図９】
2012048085.tif 000012
【図１０】
2012048085.tif 000013